(57)【要約】【課題】バルコニーの刳り貫き窓部から躯体への水の進入をより確実に抑制できるとともに、刳り貫き窓を構成する枠体の強度を高めることができる刳り貫き窓付きバルコニーを提供する。【解決手段】  躯体１と外壁材２、２とを備えたバルコニーの壁３に、筒状の枠体５が外側から挿入され、枠体のフランジ２１が躯体の外側面に固定され、かつ、枠体のフィン２４の外周端が躯体の開口部Ｋの内周面に当接または近接されるとともに、フィンが躯体の内側面と略面一とされ、フランジから躯体の外側面に渡って防水テープＴが貼り付けられ、躯体の内側面に板状の内水切り６が固定され、内水切りのパッキン１７が枠体に接触され、内水切りと枠体との間にシーリングＳが施され、内水切りから躯体の内側面に渡って防水テープＴが貼り付けられ、枠体と両外壁材との間にそれぞれシーリングが施されて、刳り貫き窓４が形成されている。【選択図】図１
2006097406.tif 000002
【特許請求の範囲】
【請求項１】
躯体とこの躯体の両側に設けられた外壁材とを備えたバルコニーの壁に、筒状の枠体が該壁を貫通するように外側から挿入され、前記枠体のフランジが前記躯体の外側面に固定され、かつ、前記枠体のフィンの外周端が前記躯体の開口部の内周面に当接または近接されるとともに、前記フィンが前記躯体の内側面と略面一とされ、前記枠体の前記フランジから前記躯体の外側面に渡って防水テープが貼り付けられ、
前記躯体の内側面に板状の内水切りが固定され、この内水切りの内周側に設けられたパッキンが前記枠体の外周面に接触され、前記内水切りと前記枠体との間にシーリングが施され、前記内水切りから前記躯体の内側面に渡って防水テープが貼り付けられ、
前記枠体と前記両外壁材との間にそれぞれシーリングが施されて、
刳り貫き窓が形成されている、
ことを特徴とする刳り貫き窓付きバルコニー。
【発明の詳細な説明】
【技術分野】
【０００１】
本発明は、通風等のための刳り貫き窓が設けられているバルコニーに関する。
【背景技術】
【０００２】
図１０および図１１は、従来の刳り貫き窓付きバルコニーを示す図であって、図１０は刳り貫き窓部の縦断面図であり、図１１は図１０の要部拡大図である。このバルコニーでは、刳り貫き窓５１が概略四角筒状の枠体５２と、四角枠状の内水切り５３とにより形成されている。
【０００３】
枠体５２は、躯体５４とこの躯体５４の両側に設けられた外壁材５５、５５とを備えた壁５６に、外側から該壁５６を貫通するように挿入され、そのフランジ５７が躯体５４の外側面に当接され、ねじ５８により固定されている。フランジ５７と躯体５４との間から水が浸入しないように、防水テープＴがフランジ５７から躯体５４に渡って貼り付けられている。
【０００４】
内水切り５３は、躯体５４の内側面に当接されている平板部６１と、この平板部６１の内周縁から躯体５４の外側に向けて折れ曲がっている折曲部６２と、この折曲部６２の内周面から枠体５２の径方向中心部に向かって延びるパッキン６３とを備えており、折曲部６２の先端が、躯体５４の開口部の内周面に当接または近接している枠体５２のフィン６５に近接しているとともに、パッキン６３が枠体５２の外周面に接触している。平板部６１は躯体５４にねじ５８により固定されている。平板部６１と躯体５４との間あるいはねじ穴から水が浸入しないように、防水テープＴが平板部６１から躯体５４に渡って貼り付けられている。また、折曲部６２と枠体５２の外周面との間から水が浸入しないように、折曲部６２と枠体５２の外周面との間にシーリングＳが施されている。
【０００５】
また、外側および内側の外壁材５５、５５と枠体５２の外周面との間にもそれぞれ、シーリングＳ、Ｓが施されている。
なお、このようなバルコニーの先行技術文献を見出せなかったので、先行技術文献情報は記載しない。
【発明の開示】
【発明が解決しようとする課題】
【０００６】
しかしながら、従来のこのような刳り貫き窓付きバルコニーにあっては、内水切り５３に躯体５４の内部に向かって折曲された折曲部６２が設けられているので、万一、防水テープＴに不具合が生じ、内水切り５３と躯体５４の内側面との間から水が浸入した場合に、進入水が折曲部６２に導かれて躯体５４内部に侵入する虞がある。また、枠体５２のフィン６５が少なくとも内水切り５３の折曲部６２の長さ分だけ、躯体５４の内側面から奥側に位置する必要があるので、フィン６５と枠体５２の内側の端との間の長さが長くなり、枠体５２の内側端部に力が作用したときの強度が弱くなるという問題がある。
【０００７】
本発明は、このような事情に鑑みて為されたもので、バルコニーの刳り貫き窓部から躯体への水の進入をより確実に抑制できるとともに、刳り貫き窓を構成する枠体の強度を高めることができる刳り貫き窓付きバルコニーを提供することを目的とする。
【課題を解決するための手段】
【０００８】
前記目的を達成するために、請求項１に記載の刳り貫き窓付きバルコニーは、躯体とこの躯体の両側に設けられた外壁材とを備えたバルコニーの壁に、筒状の枠体が該壁を貫通するように外側から挿入され、前記枠体のフランジが前記躯体の外側面に固定され、かつ、前記枠体のフィンの外周端が前記躯体の開口部の内周面に当接または近接されるとともに、前記フィンが前記躯体の内側面と略面一とされ、前記枠体の前記フランジから前記躯体の外側面に渡って防水テープが貼り付けられ、
前記躯体の内側面に板状の内水切りが固定され、この内水切りの内周側に設けられたパッキンが前記枠体の外周面に接触され、前記内水切りと前記枠体との間にシーリングが施され、前記内水切りから前記躯体の内側面に渡って防水テープが貼り付けられ、
前記枠体と前記両外壁材との間にそれぞれシーリングが施されて、
刳り貫き窓が形成されている、
ことを特徴とする。
【発明の効果】
【０００９】
請求項１に記載の刳り貫き窓付きバルコニーによれば、躯体の内側面に板状の内水切りが固定され、この内水切りの内周側に設けられたパッキンが枠体の外周面に接触されているとともに、枠体のフィンを躯体の内側面と略面一になっているので、万一、防水テープに不具合が生じ、内水切りと躯体の内側面との間から水が浸入しても、進入水がほぼ垂直に落下し、躯体内部に侵入し難い。また、枠体のフィンを躯体の内側面と略面一になっているので、フィンと枠体の内側の端との間の長さが短くなるため、枠体の内側端部に力が作用したときの強度を高めることができる。
【発明を実施するための最良の形態】
【００１０】
以下、添付した図面を参照しながら、本発明の実施の形態を説明する。
図１および図２は、本発明の実施の形態に係る刳り貫き窓付きバルコニーを示す図であって、図１は刳り貫き窓部分の縦断面図であり、図２は刳り貫き窓部分の横断面図であり、図３は、枠体と内水切りとを示す斜視図であり、図４は枠体の分解斜視図であり、図５は内水切りを一部を分解して示す正面図である。なお、図２において、右側と左側とで躯体（間柱）の見込み寸法が異なる場合を示している。
【００１１】
本実施の形態の刳り貫き窓付きバルコニーは、図１および図２に示すように、躯体１とこの躯体１の両側に設けられた外壁材２、２とを備えた壁３を有している。この壁３に設けられている刳り貫き窓４は、概略四角筒状の枠体５と、四角枠状の内水切り６とを備えている。
【００１２】
枠体５は、図３および図４に示すように、左右一対の縦枠７、７と上下一対の横枠８、８とが、左右から縦枠７を通して横枠８、８の側部にねじ込まれたねじ９により概略四角筒状に組み立てられて構成されている。各縦枠７の四隅には、角キャップ１１がねじ１２により固定されている。各縦枠７の内側面の上下端部にはそれぞれ、ねじ穴からの水の浸入を防ぐために、コーキングシーラー１３が貼り付けられている。
【００１３】
一方、内水切り６は、図３および図５に示すように、左右一対の帯状の板状部材１４、１４と上下一対の帯状の板状部材１５、１５とが、これらの互いに隣接する端部に概略「Ｌ」字板状のコーナー１６が挿入されて互いに突き合せられ、板状部材１４、１５とコーナー１６とが接着剤により固定されて連結されることにより、板状の四角枠として組み立てられている。各板状部材１４，１５の内周側にはそれぞれパッキン１７が接着材により固定されており、これによりパッキン１７は、内水切り６の内周側に四角枠状に配置されている。
【００１４】
図１および図２に示すように、前記枠体５は、壁３に該壁３を貫通するように外側から挿入され、そのフランジ２１が躯体１の外側面に当接され、ねじ２３より固定されている。このとき、枠体５の躯体１の内側面に近い位置に該枠体５の径方向外側に突出するように設けられたフィン２４の外周端、およびフランジ２１に形成されたインロー用フィン２１ａの外周面が、それぞれ躯体１の開口部Ｋの内周面に当接または近接している。また、枠体５のフィン２４は躯体５の内側面と略面一になっている。また、枠体５の両端部はそれぞれ、両側の外壁材２、２から外方に突出している。フランジ２１と躯体１との間から水が浸入しないように、防水テープＴがフランジ２１から躯体１の外側面に渡って四角枠状に貼り付けられている。なお、躯体１には、予め、枠体５が挿入される躯体１の開口部の下端部から躯体１の外側面および内側面における開口部の下側部分に渡って、防水シートＢは貼り付けられ、さらに開口部の隅角部には防水テープＴが貼り付けられている。
【００１５】
内水切り６は、板状部材１４、１５の裏面が躯体１の内側面に当接され、板状部材１４、１５の外周部がねじ２３により固定されているとともに、パッキン１７の内周縁が枠体５の外周面に接触している。内水切り６の内周部と枠体２の外周面との間から水が浸入しないように、これらの間にシーリングＳが施されている。このとき、板状部材１４、１５の突き合せ部にもコーキング材によりシーリングＳが施される。また、内水切り６と躯体１との間あるいはねじ穴から水が浸入しないように、防水テープＴが内水切り６から躯体１の内側面に渡って四角枠状に貼り付けられている。
【００１６】
また、外側および内側の外壁材２、２と枠体５の外周面との間にもそれぞれ、コーキング材によりシーリングＳ、Ｓが施されている。
枠体５の内側の端面には、面材２５がねじ２６により固定されている。
なお、本実施の形態では、防水テープＴが貼り付けられている箇所の上には、防水シートＢが貼り付けられている。
【００１７】
次に、バルコニーの壁３に刳り貫き窓４を取り付ける手順を、図１、図２および図６〜図９を参照しつつ説明する。
まず、図６に示すように、躯体１に、枠体５が挿入される躯体１の開口部Ｋの下端部から躯体１の外側面および内側面における開口部Ｋの下側部分に渡って、防水シートＢを貼り付け、さらに開口部の隅角部には防水テープＴを貼り付ける。
【００１８】
次いで、枠体５を、躯体１の開口部Ｋに躯体１の外側から挿入して、枠体５のフランジ２１を躯体１の外側面に当接し、フランジ２１をねじ２３より躯体１に固定する。
次いで、内水切り６の板状部材１４、１５の裏面を躯体１の内側面に当接し、板状部材１４、１５をねじ２３により躯体１に固定する。このようにすると、内水切り６のパッキン１７の内周縁が枠体５の外周面に接触する。
【００１９】
次いで、図７に示すように、内水切り６の内周部と枠体５の外周面との間、および内水切り６の板状部材１４、１５の突き合せ部にコーキング材ＣによりシーリングＳを施す。
次いで、図８に示すように、防水テープＴを、内水切り６から躯体１の内側面に渡って四角枠状に貼り付ける。また、防水テープＴを、枠体５のフランジ２１から躯体１の外側面に渡って四角枠状に貼り付ける。
次いで、防水テープＴが貼り付けられている上に、防水シートＢを貼り付ける。
【００２０】
次いで、躯体１の両側に外壁材を設けた後、図９に示すように、外側の外壁材２と枠体５の外周面との間に、コーキング材によりシーリングＳを施す。内側の外壁材２と枠体５の外周面との間にも同様にシーリングＳを施す。
その後、枠体５の内側の端面に、面材２５をねじ２６により取り付ける。
【００２１】
このような刳り貫き窓付きバルコニーにあっては、躯体１の内側面に板状の内水切り６が固定され、この内水切り６の内周側に設けられたパッキン１７が枠体５の外周面に接触されているとともに、枠体５のフィン２４を躯体１の内側面と略面一になっているので、万一、防水テープＴに不具合が生じ、内水切り６と躯体１の内側面との間から水が浸入しても、進入水がほぼ垂直に落下するため、躯体１の内部に侵入し難い。
また、枠体５のフィン２４が躯体１の内側面と略面一になっているので、フィン２４と枠体５の内側の端との間の長さが短くなり、枠体１の内側端部に力が作用したときの強度を高めることができる。
【００２２】
なお、本発明は前記実施の形態に限定されるものではなく、本発明の要旨を逸脱しない範囲での種々の設計変形等が可能である。
例えば、前記実施の形態では、躯体１に、防水シートＢを貼り付け、さらに開口部の隅角部に防水テープＴが貼り付けたが、これらを省略することもできる。
また、前記実施の形態では、防水テープＴが貼り付けられている箇所の上に、防水シートＢを貼り付けたが、これを省略することもできる。
また、前記実施の形態では、枠体５に面材２５を取り付けたが、この面材２５を省略することもできる。
【図面の簡単な説明】
【００２３】
【図１】本発明の実施の形態に係る刳り貫き窓付きバルコニーの刳り貫き窓部分を示す図であって、縦断面図である。
【図２】同、横断面図である。
【図３】枠体と内水切りとを示す斜視図である。
【図４】枠体の分解斜視図である。
【図５】内水切りを一部を分解して示す正面図である。
【図６】バルコニーの壁に刳り貫き窓を取り付ける手順を説明するための図であって、枠体および内水切りを躯体に固定する工程を示す分解斜視図である。
【図７】同、内水切りと枠体との間などにシーリングを施す工程を示す斜視図である。
【図８】同、防水テープを内水切りから躯体に渡って貼り付ける工程を示す斜視図である。
【図９】同、外壁材と枠体との間にシーリングＳを施す工程を示す斜視図である。
【図１０】従来の刳り貫き窓付きバルコニーを示す図であって、刳り貫き窓部の縦断面図である。
【図１１】図１１は図１０の要部拡大図である。
【符号の説明】
【００２４】
１    躯体
２    外壁材
３    壁
４    刳り貫き窓
５    枠体
６    内水切り
１７    パッキン
２１    フランジ
２４    フィン
Ｋ    開口部
Ｓ    シーリング
Ｔ    防水テープ
【図１】
2006097406.tif 000003
【図２】
2006097406.tif 000004
【図３】
2006097406.tif 000005
【図４】
2006097406.tif 000006
【図５】
2006097406.tif 000007
【図６】
2006097406.tif 000008
【図７】
2006097406.tif 000009
【図８】
2006097406.tif 000010
【図９】
2006097406.tif 000011
【図１０】
2006097406.tif 000012
【図１１】
2006097406.tif 000013